(57)【要約】【課題】本発明は、滞留水の軽減が図れる２槽一体式の貯水槽に関する。【解決手段】２槽一体式の貯水槽において、Ａ槽とＢ槽を連通する為の複数の連通管を設置し、片槽から水を流入させ、複数の連通管を経由し、反対側の片槽から水を流出させることを特徴とする貯水槽。  １・・・貯水槽、  ２・・・水槽の仕切壁、  ３・・・流入管、  ３ａ・・・Ａ槽用流入管の分岐管、  ３ｂ・・・Ｂ槽用流入管の分岐管、  ４・・・流出管、  ４ａ・・・Ａ槽用流出管の分岐管、  ４ｂ・・・Ｂ槽用流出管の分岐管、  ５、６・・・流入管の分岐管用止水バルブ、  ７、８・・・流出管の分岐管用止水バルブ、  ９、１１・・・連通管用バルブ、  １０、１２・・・連通管。【選択図】  図２
2006328844.tif 000002
【特許請求の範囲】
【請求項１】
仕切壁により仕切り、２槽を連通管で連通した２槽一体式の貯水槽の使用方法において、片槽から水を流入させ、連通管を経由し、反対側の片槽から水を流出させる貯水槽の使用方法。
【請求項２】
仕切壁により仕切った２槽一体式の貯水槽において、２槽を連通する為の複数の連通管を設置し、片槽から水を流入させ、複数の連通管を経由し、反対側の片槽から水を流出させることを特徴とする貯水槽。
【発明の詳細な説明】
【技術分野】
【０００１】
本発明は、水道水等を貯留・配送する水槽の構造及び使用方法に関するものである。
【背景技術】
【０００２】
従来、配水池や受水槽等の貯水槽に対して、図３に示すように、中央に仕切壁２を設けて、Ａ槽とＢ槽に分ける２槽一体式にすることが一般的である。これは、清掃等のメンテナンス作業を必要とする時に、片側の槽のみの使用に切り替えて、給配水は行えるためである。
【０００３】
運転方法として、バルブ５、６、７、８を開状態にし、Ａ槽とＢ槽が並列となって、給配水を行う。
【０００４】
また、図４に示すように、連通管１０を追加設置する場合がある。連通管を設置する目的は、メンテナンスに際に、Ａ槽とＢ槽の２間での貯水移動を容易にするためである。常時運転の場合、流入管・流出管のバルブの状態は、図３の場合と同様である。したがって連通管１０の途中に設置したバルブ９が開状態となっても、それを通過する流量が殆どない。
【０００５】
図３、図４の場合、管路の流入管３、流出管４の流量をＱとすれば、Ａ槽またはＢ槽を通過する流量が約Ｑ/２となる。
【０００６】
配水池の場合、池の総容量に対する水の通過量が少ないので、図３、図４に示すように、通常の運転時において、水槽内に滞留水が発生する恐れがある。
【発明の開示】
【発明が解決しようとする課題】
【０００７】
本発明は、上述の水槽の問題点に着目して考案したもので、その目的が、低コストで、滞留水の発生はない水槽の構造及び水槽の使用方法を提供することにある。
【課題を解決するための手段】
【０００８】
滞留水を解消する目的を達成するため、請求項１に記載の発明は、図１に示すように、仕切壁２により仕切り、Ａ槽、Ｂ槽を連通管１０で連通した２槽一体の貯水槽１の使用方法において、片槽（Ａ槽またはＢ槽）から水を流入させ、連通管１０を経由し、反対側の片槽（Ｂ槽またはＡ槽）から水を流出させる貯水槽の使用方法を提供する。
【０００９】
請求項２に記載の発明は、図２に示すように、仕切壁２により仕切った２槽一体の貯水槽１において、Ａ槽、Ｂ槽を連通するための複数の連通管（１０、１２）を設置し、片槽（Ａ槽またはＢ槽）から水を流入させ、複数の連通管（１０、１２）を経由し、反対側の片槽（Ｂ槽またはＡ槽）から水を流出させることを特徴とする貯水槽を提供する。
【発明の効果】
【００１０】
本発明は、図１に示すように、Ａ槽、Ｂ槽を通過する流量が、図３、図４に示す従来の方法に比較して、約２倍となり、水槽内の滞留水の解消を図ることができる。
【００１１】
また、図２に示すように、流量が２倍となり、加えて、２本の連通管の設置による流れが均一化となり、一層の槽内滞留水の解消効果を図ることができる。
【００１２】
表１は、従来の方法に対する本発明方法の槽内貯水の平均流速比に関する数値流体解析結果をまとめたものである。
【００１３】
【表１】
2006328844.tif 000003
【００１４】
表１から、図１、図２に示す従来の使用法に対して、本発明方法の場合、平均流速比はともに２倍以上高くなり、滞留水に対する解消効果が明らかになった。
【００１５】
また、図１、図２に示す従来の使用法において、槽内に短絡流、偏流の発生を回避するため、流入管３、流出管４を、それぞれに水槽１の両側に対角で設置する必要がある。
【００１６】
しかし、通常の配管工事において、流入管、流出管をまとめて、配水池の直近までに布設してくるので、上記の対角の設置のため、流入管または流出管のいずれかを反対側に回さなくてはならない。このために、相当な材料費、工事費及び場内スペースが余分に必要となる。
【００１７】
これに対して、本発明は、図１、図２に示すように、滞留水への改善効果が高いばかりでなく、配管の反対側に伸ばす必要はないので、上記諸項目の節約を図ることができる。
【００１８】
したがって、本発明により、低コストで滞留水が生じない貯水槽を構築できるばかりでなく、経済効果をもたらすことができる。
【発明を実施するための最良の形態】
【００１９】
本発明の最良の形態は図１、図２に示す。
【実施例１】
【００２０】
以下、本発明の実施例１について、図１に基づいて詳細に説明する。
【００２１】
滞留水を解消する目的を達成する為、図１に示すように、仕切壁２により仕切った２槽一体式の貯水槽１に対して、Ａ槽に流入管の分岐管３aと流出管の分岐管４aを設置し、Ｂ水槽に  流入管の分岐管３ｂと流出管の分岐管４ｂを設置し、さらに、Ａ槽とＢ槽を連通管１０で連通する。
【００２２】
使用方法として、Ａ槽からの流入、Ｂ槽からの流出、及びＢ槽からの流入、Ａ槽からの流出の二つの方法がある。
【００２３】
以下では、Ａ槽からの流入、Ｂ槽からの流出の方法について説明する。
【００２４】
この場合、予め、バルブ５、８、９を開状態に、バルブ６、７を閉状態にしておく。
【００２５】
水流は、流入管３、流入管の分岐管３ａを経由して、Ａ槽に流入し、この時の流入量がＱとなる。
【００２６】
水流は、Ａ槽の貯水を撹拌しながら、連通管１０を経由して、Ｂ槽に流入し、この時の流入量もＱである。
【００２７】
水流は、Ｂ槽の貯水を撹拌しながら、分岐管４ｂ、流出管４を経由して、Ｂ槽から流出する。
【００２８】
水流は、Ａ槽またはＢ槽を通過するに当たって、図３と図４に示す従来の場合に比較して、約２倍の流量Ｑ、即ち、高い運動エネルギーを持ったので、Ａ槽またはＢ槽の貯水は、よく撹拌され、水槽内での滞留水の発生が回避できるわけである。
【００２９】
また、掃除、点検、修理などのメンテナンスに際して、例えば、Ａ槽を点検しようとする場合、バルブ５、７、９を閉めれば、Ａ槽に水が入らないので、点検可能となる。その同時、給配水は、Ｂ槽を用いて支障なく行うことができる。
【実施例２】
【００３０】
本発明の実施例２は、図２に示し、実施例１に連通管１２を追加する複数連通管を有するものである。
【００３１】
以下では、実施例２について、図２を用いて、実施例１と異なる点に絞って説明する。
【００３２】
図２に示すように、水流は、Ａ槽からＢ槽へ流入する場合、連通管１０、１２の二つの経路を経由するので、Ａ槽及びＢ槽の隅々まで行きわたり、結果として、より均等な池内流況が得られるわけである。
【図面の簡単な説明】
【００３３】
【図１】本発明の実施例１の水槽の伏せ図（１本の連通管）
【図２】本発明の実施例２の水槽の伏せ図（２本の連通管）
【図３】通常の２槽一体式の水槽の伏せ図（連通管無）
【図４】通常の２槽一体式の水槽の伏せ図（１本の連通管）
【符号の説明】
【００３４】
１      水槽
２      水槽の仕切壁
３      流入管
３ａ    Ａ槽用流入管の分岐管
３ｂ    Ｂ槽用流入管の分岐管
４      流出管
４ａ    Ａ槽用流出管の分岐管
４ｂ    Ｂ槽用流出管の分岐管
５      流入管の分岐管用止水バルブ
６      流入管の分岐管用止水バルブ
７      流出管の分岐管用止水バルブ
８      流出管の分岐管用止水バルブ
９      連通管用バルブ
１０    連通管
１１    連通管用バルブ
１２    連通管
【図１】
2006328844.tif 000004
【図２】
2006328844.tif 000005
【図３】
2006328844.tif 000006
【図４】
2006328844.tif 000007